(57)【要約】  スプレーヘッドと関連する方法であって、スプレーヘッドは、媒体を噴霧する少なくとも１つのノズル（２）と、スプレーヘッドが非作動モードにあるときにノズル（２）の正面の保護位置にあり、スプレーヘッドのあり得るトリガ部材（１４）を機械的に保護する保護部材（３）であって、少なくとも１つのノズル（２）及びあり得るトリガ部材（１４）を保護しない第２の位置へ移動可能である、保護部材（３）とを備える、方法。スプレーヘッドは、保護部材（３）と関連して配置されている発熱素子（４）によって少なくとも必要時に加熱される。本発明はまた、装置及びスプレーヘッドの保護部材に関する。【選択図】  図１
2009539523.tif 000002
【特許請求の範囲】
【請求項１】
スプレーヘッドと関連する方法であって、該スプレーヘッドは、媒体を噴霧する少なくとも１つのノズル（２）と、前記スプレーヘッドが非作動モードにあるときに前記ノズル（２）の正面の保護位置にあり、該スプレーヘッドのあり得るトリガ部材（１４）を機械的に保護する保護部材（３）であって、前記少なくとも１つのノズル（２）及び前記あり得るトリガ部材（１４）を保護しない第２の位置へ移動可能である、保護部材（３）とを備え、前記スプレーヘッドは、該保護部材（３）と関連して（into connection with）配置されている発熱素子（thermal element）（４）によって少なくとも必要時に加熱されることを特徴とする、方法。
【請求項２】
前記スプレーヘッドは、該スプレーヘッドの凍結が前記発熱素子（４）を用いて熱をもたらすことによって防止される等、正常に運転できる状態（working order）に保たれることを特徴とする、請求項１に記載の方法。
【請求項３】
必要であれば、前記スプレーヘッドの前記トリガ部材（１４）は加熱の影響を受け、したがって該スプレーヘッドは作動されることを特徴とする、請求項１又は２に記載の方法。
【請求項４】
前記発熱素子（４）へエネルギーを供給する線部材（７、８）は、前記保護部材（３）の連結部分として使用され、該保護部材（３）の危険な落下を防止することを特徴とする、請求項１〜３のいずれか１項に記載のスプレーヘッド。
【請求項５】
スプレーヘッドの保護部材（３）であって、該スプレーヘッドの少なくとも１つのノズル（２）を保護し、且つ必要であれば該スプレーヘッドのあり得るトリガ部材（１４）も機械的に保護することを意図し、発熱素子（４）を備えることを特徴とする、スプレーヘッドの保護部材。
【請求項６】
形状がカップ状であることを特徴とする、請求項５に記載のスプレーヘッドの保護部材。
【請求項７】
前記発熱素子（４）は抵抗素子を含むことを特徴とする、請求項５又は６に記載のスプレーヘッドの保護部材。
【請求項８】
スプレーヘッドと関連する装置であって、該スプレーヘッドは、媒体を噴霧する少なくとも１つのノズル（２）と、該スプレーヘッドが非作動モードにあるときに前記ノズル（２）の正面の保護位置にあり、該スプレーヘッドのあり得るトリガ部材（１４）を機械的に保護する保護部材（３）であって、前記少なくとも１つのノズル（２）及び前記あり得るトリガ部材（１４）を保護しない第２の位置へ移動可能である、保護部材（３）とを備え、前記スプレーヘッドと関連して発熱素子（４）が配置されていることを特徴とする、装置。
【請求項９】
前記発熱素子（４）は前記保護部材（３）内に配置されていることを特徴とする、請求項８に記載の装置。
【請求項１０】
前記スプレーヘッドは、前記発熱素子（４）によってもたらされる熱エネルギーによって作動することができる熱作動型トリガ手段（１４）が内部にあるスプリンクラーヘッドであることを特徴とする、請求項８又は９に記載の装置。
【発明の詳細な説明】
【技術分野】
【０００１】
本発明は、クレーム１のプリアンブルに記載のスプレーヘッドと関連する方法であって、スプレーヘッドは、媒体を噴霧する少なくとも１つのノズルと、スプレーヘッドが非作動モードにあるときにノズルの正面の保護位置にあり、スプレーヘッドのあり得るトリガ部材を機械的に保護する保護部材であって、少なくとも１つのノズル及びあり得るトリガ部材を保護しない第２の位置へ移動可能である、保護部材とを備える、方法に関する。
【０００２】
本発明はまた、請求項５のプリアンブルに記載のスプレーヘッドの保護部材に関する。
【０００３】
本発明はまた、請求項８に記載の装置に関する。
【背景技術】
【０００４】
保護部材がスプレーヘッドを保護するものとして使用され、この保護部材は、スプレーヘッドが非作動位置にあるときにスプレーヘッドの少なくとも１つのノズルの正面の保護位置にあり、ノズル及び場合によってはトリガ部材も機械的に保護する、スプレーヘッドと関連する、特に消火システムと関連する構成が既知である。保護部材は、少なくとも１つのノズル及びあり得るトリガ部材を保護しない第２の位置に移動可能である。
【０００５】
スプレーヘッド、特に消火用である特にこのタイプのスプリンクラーヘッドは、例えば特許文献１から既知である。スプリンクラーヘッドのノズル及びトリガ部材を保護するカップ部分等の保護部材が、ホルダフレームに対して移動可能である機構によって解放される。この明細書は、保護部材、すなわちカップ部分を解放すると共にスプリンクラーを待機位置へ移動させる、いくつかの異なる代替案を提示している。特許文献２から、保護部材が設けられているスプレーヘッドが既知である。
【０００６】
当該保護部材が設けられているスプレーヘッドは、例えば周囲の状況がスプレーヘッドを保護することを必要とする場所において用いられる。典型的な場所は例えば交通トンネルである。スプレーヘッドの場所において広がっている状況は、例えば温度と関連してさらに大幅に変化する可能性がある。この場合、スプリンクラーヘッド等のスプレーヘッドの動作を妨げる状況が存在する可能性がある。そのような状況は、例えば湿度、温度等の変化する天気状況であり得る。特に、凍結状況は、スプレーヘッドの動作にかなり悪影響を与える可能性がある。
【先行技術文献】
【特許文献】
【０００７】
【特許文献１】欧州特許第１１５０７４７号明細書
【特許文献２】米国特許第６３４５６７０号明細書
【発明の概要】
【発明が解決しようとする課題】
【０００８】
本発明の目的は、スプレーヘッドの周囲状況によって引き起こされる、スプレーヘッド及び保護部材の解放機構の動作に対する多くの不都合点を回避するのに用いる構成を達成することである。本発明の別の目的は、組み合わせ、特に、スプレーヘッド、特にスプリンクラーの優れた信頼性と、スプリンクラーの保護カップを解放する機構とを提供することである。
【課題を解決するための手段】
【０００９】
［発明の簡単な説明］
本発明は、スプレーヘッドの保護部材に発熱手段(thermal means)が設けられているという着想に基づく。
【００１０】
スプレーヘッドが、保護部材と関連して配置されている発熱素子によって少なくとも必要時に加熱されることが、本発明による方法の特徴である。
【００１１】
さらに、本発明による方法は、請求項２〜４に記載されていることを特徴とする。
【００１２】
保護部材が発熱素子を備えることが、本発明によるスプレーヘッドの保護部材の特徴である。
【００１３】
さらに、本発明による保護部材は、請求項６及び７に記載されていることを特徴とする。
【００１４】
スプレーヘッドと関連して発熱素子が配置されていることが、本発明による装置の特徴である。
【００１５】
本発明による装置は、請求項９及び１０に記載されていることを特徴とする。
【００１６】
本発明による構成は、多くの重要な利点を有する。発熱素子をスプレーヘッドと関連して、特にスプレーヘッドの保護部材と関連して配置することによって、スプレーヘッドを低温においても正常に運転できる状態に保つ極めて良好に機能する構成が得られる。したがって、必要であれば、スプレーヘッド及びスプレーヘッドと関連する装置は、発熱素子を用いて加熱することができる。本発明によれば、スプレーヘッドの凍結は発熱素子を用いて熱をもたらすことによって防止することができる。有利な実施の形態によれば、必要であれば、発熱素子の加熱効率を高めることによって、スプレーヘッドのトリガ部材に影響を与え、したがってスプレーヘッドを作動させることが可能である。発熱素子にエネルギーを供給する線部材を保護部材の連結部分として用いて、保護部材の危険な落下を防止することができる。この場合、保護部材の落下を防止する別個の固定構造は必要ない。この構成は、スプリンクラーヘッドを特に周囲環境から保護することが必要である環境に配置されるのに非常に適切である。そのような環境は例えば交通トンネルである。この構成は、すなわち消火用途、特に媒体ミスト等の液体保持消火用媒体を消火用媒体として使用する用途に非常に適切である。
【図面の簡単な説明】
【００１７】
【図１】本発明による装置の一実施形態の断面図である。
【図２】本発明による装置の一実施形態を示す図である。
【図３】本発明による装置の一実施形態を保護位置で示す図である。
【図４】本発明による装置の一実施形態を、第２の位置、すなわち待機位置で示す図である。
【発明を実施するための形態】
【００１８】
次に、添付の図面を参照して、本発明を一例によって詳細に説明する。
【００１９】
図１は、本発明による装置の一実施形態の部分断面図である。スプレーヘッドが、他のスプレーシステムとは別個に示されている。スプレーヘッドのフレーム１が少なくとも１つのノズル２を備える。図では、スプレーヘッドにはいくつかのノズルがある。スプレーヘッドと関連して、少なくとも１つのノズルを周囲の状況の影響から保護する保護部材３が配置されている。有利には、保護部材は、図１による、消火に使用することが意図されるトリガ機構が設けられているスプリンクラーヘッドの場合等、スプレーヘッドに配置されている場合があるトリガ部材１４も保護する。通常、トリガ部材１４は、例えばアンプルであるか、又は、温度がアンプルに設定されている限界値を超えると破損しそれ自体既知の方法で開位置に移動するようにスプレーヘッドの弁部材を解放する、熱に対して同等に反応するものであり得る。
【００２０】
本発明は、スプレーヘッドと関連する装置であって、スプレーヘッドは、媒体を噴霧する少なくとも１つのノズル２と、スプレーヘッドが非作動モードにあるときにノズル２の正面の保護位置にあり、スプレーヘッドのあり得るトリガ部材１４を機械的に保護する保護部材３であって、少なくとも１つのノズル２及びあり得るトリガ部材１４を保護しない第２の位置に移動可能である保護部材３とを備える、装置に関する。スプレーヘッドと関連して発熱素子４が配置されていることが、本発明による装置の特徴である。
【００２１】
図による実施形態では、発熱素子４は保護部材３内に配置される。保護部材には、発熱素子４が配置される孔５が形成される。発熱素子が必要とするエネルギーは、連結点６において発熱素子に連結されている線部材７、８によってもたらされる。この線部材は、連結部分１１によって線ネットワーク（line network）１８、１９に連結されている。線ネットワークの線１８、１９は、図の実施形態では保護パイプ２０によって保護されている。通常、エネルギーは電気エネルギーであり、このため発熱素子は抵抗素子４である。発熱素子を用いて、例えば、凍結によってスプレーヘッドの適切な動作が妨げられるおそれがある状況等の望ましくない状況においても、正常に運転できる状態を保つように、スプレーヘッドの機構に適当な熱を維持することが可能である。
【００２２】
別の有利な実施形態によると、スプレーヘッドは、発熱素子４によってもたらされる熱エネルギーによって作動することができる熱作動型トリガ手段１４が内部にあるスプリンクラーヘッドである。この実施形態では、熱効率が高まり、それによって、温度を、トリガ手段１４に設定されている限界値よりも高くすることが可能である。
【００２３】
本発明はまた、スプレーヘッドの少なくとも１つのノズル２を保護し、必要であれば、スプレーヘッドのあり得るトリガ部材１４も機械的に保護することが意図される、スプレーヘッドの保護部材３に関する。本発明による保護部材は発熱素子４を備える。
【００２４】
図による実施形態によれば、保護部材３の形状はカップ状である。しかし、保護部材の形状は何か他の形状であることも可能である。形状はたいてい、保護されるスプレーヘッドの形状及びその位置に応じて変わる。
【００２５】
通常、発熱素子４は抵抗素子を含む。一実施形態によると、発熱素子は極めて小さく、例えば直径が２ｍｍ〜５ｍｍである。その長さは例えば１０ｍｍ〜１２０ｍｍであり得る。発熱素子は、通常の実施形態によると電気エネルギーによって動作する。通常、その動作電圧は例えば３Ｖ〜２４０Ｖである。
【００２６】
したがって、本発明はまた、スプレーヘッドと関連する方法であって、スプレーヘッドは、媒体を噴霧する少なくとも１つのノズル２と、スプレーヘッドが非作動モードにあるときにノズル２の正面の保護位置にあり、スプレーヘッドのあり得るトリガ部材１４を機械的に保護する保護部材３であって、少なくとも１つのノズル２及びあり得るトリガ部材１４を保護しない第２の位置へ移動可能である保護部材３とを備える、方法に関する。この方法では、スプレーヘッドは、保護部材３と関連して配置されている発熱素子４によって少なくとも必要時に加熱される。
【００２７】
この方法の一実施形態によると、スプレーヘッドは、例えばスプレーヘッドの凍結が発熱素子４を用いて熱をもたらすことによって防止される等、正常に運転できる状態に保たれる。
【００２８】
本発明の別の実施形態によると、必要であれば、スプレーヘッドのトリガ部材１４が加熱によって影響され、したがってスプレーヘッドが作動される。この場合、スプレーヘッドの正常な運転状態が維持される実施形態と比較して熱効率が高まっている。
【００２９】
さらなる実施形態によると、発熱素子４にエネルギーを供給する線部材７、８は、保護部材３の連結部分として使用され、保護部材３の危険な落下を防止する。
【００３０】
次に、保護部材がスプレーヘッドによって第１の位置から第２の位置へ移動される、スプレーヘッドの動作を説明する。保護部材の異なる種類のロック／解放機構が使用される構成が、特に国際公開第０１／２６７４１号（欧州特許第１１５０７４７号）及び国際公開第０１／２６７４２号明細書において記載されている。
【００３１】
スプリンクラーの固定フレーム１６が、管路１２に配置されている固定部分１３に配置されている。図１によると、スプレーヘッドにはねじ１５が配置され、固定部分には相手方の（counter）ねじが配置される。
【００３２】
スプレーヘッドのフレーム部分、すなわちスプリンクラーフレーム１は、少なくとも１つの第１の位置、すなわち非作動位置（図１）と、１つの第２の位置、すなわち待機位置（図４）との間で固定フレーム１６に対して移動可能であるように配置することができる。少なくとも１つのノズル２がスプリンクラーのフレーム部分１に配置される。図のスプリンクラーにはいくつかのノズル２がある。スプリンクラーには、感熱トリガ手段、例えば特定の温度で破損するアンプル等のトリガ手段１４が配置される。アンプル１４は、図１のスプリンクラーフレーム１の下部にある支持フレーム１７と、少なくとも非作動位置及び待機位置において媒体の通路を、スプリンクラーの入口及びノズル２間で閉じられた状態に保つ、スプリンクラーの弁部材、すなわち弁ステムとの間に配置される。
【００３３】
スプリンクラーの固定フレーム１６にはチャネルが配置されており、このチャネル内をスプリンクラーフレーム１が第１の位置と第２の位置との間で移動可能である。管路１２内の媒体の圧力が上昇すると、この圧力はスプリンクラーのフレーム部分１の表面に影響を与え、この表面は、スプリンクラーフレームが固定フレーム１のチャネル１６内で第１の位置から第２の位置へ、すなわち固定フレームの対向表面まで移動するように形成される。
【００３４】
移動する結果として、スプリンクラーフレーム１は保護部材３に影響を与える。保護部材３はロック位置（図１、図２及び図３）から外れて、トリガ手段及びノズルの正面から離れるように移動する（図４）。
【００３５】
スプリンクラーはスプリンクラーフレーム１を備え、スプリンクラーフレーム１には、少なくとも１つのノズル２と、熱作動型トリガ部材１４と、スプリンクラーが非作動モードにあるときにノズル２の正面の保護位置にあり、トリガ部材１４を機械的に保護する保護部材３であって、ノズル２及びトリガ部材１４を保護しない第２の位置へ移動可能である保護部材３とがある。スプリンクラーフレーム１は、２つの位置、すなわちスプリンクラーが非作動モードにある第１の位置と、スプリンクラーフレームが突出している第２の位置との間で固定フレーム１６に対して移動可能であり、且つ媒体の圧力の作用によって、固定フレーム１６に対して第１の位置から第２の位置へ移動可能であると同時に、保護位置から第２の位置へ移動するように保護部材３に力を導き、それによって、スプリンクラーが、待機モードに設定されるスプリンクラーフレームの第２の位置にあるように構成される。
【００３６】
一実施形態では、スプリンクラーヘッドのフレーム部分、すなわちスプリンクラーフレームを移動させるのに使用される媒体は、通常は消火用媒体である。何らかの他の好適な媒体を使用することも可能である。
【００３７】
保護位置では、保護部材３は固定フレーム１６又はその近傍まで延びる。カップ状保護部材３の縁領域は、図１の実施形態では固定フレーム１６の外輪を越えて固定部分９まで延びている。固定部分９は、例えばシール部材等の環状突起であってもよく、この固定部分９に関して、保護部材の内面には相手方の部材、例えば環状溝１０がある。
【００３８】
したがって、スプリンクラーヘッド等のスプレーヘッドは、トリガ手段１４及びノズル２を保護するカップ状保護部材３を備える。図１による構成では、保護部材３は、シール部材９、最も好適には環状シールによって保護位置（図１）に固定される。保護部分３には、環状シール９用の溝１０が形成される。保護部分の溝１０及び環状シール９は、保護部分を保護位置において定位置に保つロックを形成する。リングシール９によって、保護部材は保護位置においてその定位置に良好に保たれ、それによって、スプリンクラーの重要な部分がスプリンクラーの周囲からの影響から良好に保護される。保護することが意図されるそのような部分は特に、通常はアンプルであるトリガ手段１４、及びノズル２である。スプリンクラーは、スプリンクラーの機能を妨げ、特に、保護部材３なしではスプリンクラーの故障を引き起こす可能性がある不純物及び汚れに曝される、非常にさまざまな環境に配置することができる。さらに、保護部材３は、例えばスプリンクラーに向かう短い（short）高温ガス流の結果としてのトリガ手段１４の望ましくないトリガを防ぐ。そのような状況は特に、例えば大型トラックの排気ガスが一瞬にしてスプリンクラーに直接（straight）向けられる可能性がある道路トンネルにおいて起こる可能性がある。
【００３９】
スプリンクラーは、圧力によってパイプ１２まで媒体を搬送することによって待機モードに設定され得る。このため、媒体の圧力はスプリンクラーの表面に対して向けられ、それによって、固定フレーム１６においてスプリンクラーフレーム１を第１の位置から第２の位置、すなわち図１の下方へ押す力が生じる。スプリンクラーフレーム１は、その役割として、保護部分３に影響を与え、それによって、スプリンクラーフレーム１によって保護部材３へ導かれた力が保護部材を定位置に保つ力を上回ると、保護部材はその定位置から外れ、図４の非保護位置になる。スプリンクラーフレーム１は図において、その最外部、すなわち支持フレーム１７においてスプリンクラーフレームの動きの方向へ保護部材３に影響を与える。
【００４０】
図による構成では、保護部材３には、連結部分用の固定部材が配置され、この連結部分によって保護部材３の危険な落下が防止される。連結部分７、８は例えば、コード、ワイヤ若しくはその均等物、又はチェーン様部分のようなバンド部分である。図において、連結部分は保護部材３に固定され、その他端はパイプ７に固定され、それによって、外れた保護部材３が連結部分７、８によって保持され吊るされたままとなる。
【００４１】
待機モード（図４）において、スプリンクラーは、例えばトリガ手段１４が熱によって破損するとトリガ手段１４によって通常の方法で作動されることができ、それによって、ノズル３が消火用媒体を噴霧することができる。待機モード及び作動モードにおいて、一実施形態によるスプリンクラーフレーム１は固定フレーム１６から離れるようにいくらか延び、それによって、一方ではあり得る火災位置に近づき、他方では、例えば天井又は壁面の固定点から遠ざかる。
【００４２】
通常、消火用媒体用のパイプ１２はいわゆるドライパイプであり、よって、パイプは消火用媒体を含まない。消火用媒体がパイプ１２に搬送されると、消火用媒体は第１の位置から第２の位置へスプリンクラーフレームを移動させることによって上述した方法で影響を与え、待機モードにし、それによって、保護部材３もそのロック状態から外れる。待機モードにあるスプリンクラーのアンプル１４が、例えば熱によって破損すると、消火用媒体がスプリンクラーのノズル２から噴霧され始める。
【００４３】
本発明による構成は、液体を保持する消火用媒体ミストを噴霧するのに特に好適である。スプリンクラーの用途及び特徴において、本発明では例えば欧州特許第１１５０７４７号及び国際公開第０１／２６７４２号明細書を参照している。
【００４４】
本発明は上述した実施形態に限定されず、添付の特許請求の範囲内でさまざまであり得ることが当業者には明らかである。必要な場合には、他の特徴と共に本明細書に記載され得る特徴は、互いに別個に用いることもできる。
【符号の説明】
【００４５】
２    ノズル
３    保護部材
４    発熱素子
７，８  線部材
１４  トリガ部材
【図１】
2009539523.tif 000003
【図２】
2009539523.tif 000004
【図３】
2009539523.tif 000005
【図４】
2009539523.tif 000006
【国際調査報告】
2009539523.tif 000007
2009539523.tif 000008
2009539523.tif 000009